(57)【要約】【課題】  本発明は電力調整システム及び電力調整プログラムに関し、例えば事業所や家庭内、ビル全体、又は地域全体に供給される電力の効率良い調整を行うことを可能とする電力調整システム、及び電力調整方法に関する。【解決手段】  管理サーバと複数の電力消費機器がネットワークを介して接続された電力調整システムであり、管理サーバは予め設定された電力のピーク値を記憶し、複数の電力消費機器毎の初期電力と定格電力を記憶し、該電力消費機器毎に重要度のレベルを記憶し、電力消費機器毎に該機器の設定負荷に従って低下させることができる消費電力を記憶し、装置に電力供給を行う際、現に使用している電力の総和に前記装置の初期電力を加えた時、前記ピーク値を超えるか否かを判断し、該判断結果が前記ピーク値を超える時、機器毎に重要度のレベルを参照し、重要性のレベルが低い機器から順に電源供給を停止し、電力調整を行うものである。【選択図】  図１
2009165254.tif 000002
【特許請求の範囲】
【請求項１】
管理サーバと複数の電力消費機器がネットワークを介して接続された電力調整システムにおいて、
前記管理サーバは、
予め設定された電力のピーク値を記憶する第１の記憶手段と、
前記複数の電力消費機器毎の初期電力と定格電力を記憶し、該電力消費機器毎に重要度のレベルを記憶する第２の記憶手段と、
前記電力消費機器毎に該機器の設定負荷に従って低下させることができる消費電力を記憶する第３の記憶手段と、
前記装置に電力供給を行う際、現に使用している電力の総和に前記装置の初期電力を加えた時、前記ピーク値を超えるか否かを判断する判断手段と、
該判断結果が前記ピーク値を超える時、先ず前記第２の記憶手段に記憶する前記機器毎に重要度のレベルを参照し、重要性のレベルが低い機器から順に電源供給を停止する電源供給停止手段と、
前記第３の記憶手段を参照し、前記電源供給の停止を行う電力消費機器の設定負荷毎に低下させることができる消費電力の情報を参照し、使用電力の総和が前記ピーク値を超えない電力を計算する計算手段と、
該計算結果に従って、前記使用電力の総和が前記ピーク値を超えない範囲で使用できる最大の負荷に前記装置の負荷を調整する電力調整手段と、
を有することを特徴とする電力調整システム。
【請求項２】
管理サーバと複数の電力消費機器がネットワークを介して接続された電力調整システムにおいて、
前記電力消費機器は、
予め設定された電力のピーク値を記憶する第１の記憶手段と、
前記複数の電力消費機器毎の初期電力と定格電力を記憶し、該電力消費機器毎に重要度のレベルを記憶する第２の記憶手段と、
前記電力消費機器毎に該機器の設定負荷に従って低下させることができる消費電力を記憶する第３の記憶手段と、
前記装置に電力供給を行う際、現に使用している電力の総和に前記装置の初期電力を加えた時、前記ピーク値を超えるか否かを判断する判断手段と、
該判断結果が前記ピーク値を超える時、先ず前記第２の記憶手段に記憶する前記機器毎に重要度のレベルを参照し、重要性のレベルが低い機器から順に電源供給を停止する電源供給停止手段と、
前記第３の記憶手段を参照し、前記電源供給の停止を行う電力消費機器の設定負荷毎に低下させることができる消費電力の情報を参照し、使用電力の総和が前記ピーク値を超えない電力を計算する計算手段と、
該計算結果に従って、前記使用電力の総和が前記ピーク値を超えない範囲で使用できる最大の負荷に前記装置の負荷を調整する電力調整手段と、
を有することを特徴とする電力調整システム。
【請求項３】
前記複数の電力消費機器は、履歴情報に基づいて作成した電力消費特性を記憶し、該電力消費特性に従って前記電力調整を行うことを特徴とする請求項１、又は２記載の電力調整システム。
【請求項４】
前記履歴情報は、日時、設置環境に従って設定されることを特徴とする請求項１、２、又は３記載の電力調整システム。
【請求項５】
前記電力消費機器は、起動、運転、停止、電源遮断処理が、リモートコントロールによって実行されることを特徴とする請求項１、２、３、又は４記載の電力調整システム。
【請求項６】
管理サーバと複数の電力消費機器がネットワークを介して接続された電力調整システムにおいて使用される電力調整方法であって、
予め設定された電力のピーク値を第１の記憶手段に記憶する処理と、
前記複数の電力消費機器毎の初期電力と定格電力を記憶し、該電力消費機器毎に重要度のレベルを第２の記憶手段に記憶する処理と、
前記電力消費機器毎に該機器の設定負荷に従って低下させることができる消費電力を第３の記憶手段に記憶する処理と、
前記電力消費機器に電力供給を行う際、現に使用している電力の総和に前記装置の初期電力を加えた時、前記ピーク値を超えるか否かを判断する処理と、
該判断結果が前記ピーク値を超える時、先ず前記第２の記憶手段に記憶する前記電力消費機器毎に重要度のレベルを参照し、重要性のレベルが低い機器から順に電源供給を停止する処理と、
前記第３の記憶手段を参照し、前記電源供給の停止を行う電力消費機器の設定負荷毎に低下させることができる消費電力の情報を参照し、使用電力の総和が前記ピーク値を超えない電力を計算する処理と、
該計算結果に従って、前記使用電力の総和が前記ピーク値を超えない範囲で使用できる最大の負荷に前記装置の負荷を調整する処理と、
を行うことを特徴とする電力調整方法。
【請求項７】
管理サーバと複数の電力消費機器がネットワークを介して接続された電力調整システムにおいて使用されるプログラムであって、
予め設定された電力のピーク値を第１の記憶手段に記憶する処理と、
前記複数の電力消費機器毎の初期電力と定格電力を記憶し、該電力消費機器毎に重要度のレベルを第２の記憶手段に記憶する処理と、
前記電力消費機器毎に該機器の設定負荷に従って低下させることができる消費電力を第３の記憶手段に記憶する処理と、
前記電力消費機器に電力供給を行う際、現に使用している電力の総和に前記装置の初期電力を加えた時、前記ピーク値を超えるか否かを判断する処理と、
該判断結果が前記ピーク値を超える時、先ず前記第２の記憶手段に記憶する前記電力消費機器毎に重要度のレベルを参照し、重要性のレベルが低い機器から順に電源供給を停止する処理と、
前記第３の記憶手段を参照し、前記電源供給の停止を行う電力消費機器の設定負荷毎に低下させることができる消費電力の情報を参照し、使用電力の総和が前記ピーク値を超えない電力を計算する処理と、
該計算結果に従って、前記使用電力の総和が前記ピーク値を超えない範囲で使用できる最大の負荷に前記装置の負荷を調整する処理と、
をコンピュータに実行させることを特徴とする電力調整プログラム。
【発明の詳細な説明】
【技術分野】
【０００１】
本発明は電力調整システム及び電力調整方法に関し、特に事業所や家庭内、ビル全体、又は地域全体に供給される電力の効率良い調整を行う電力調整システム、電力調整方法に関する。
【背景技術】
【０００２】
今日、電力の安定供給は極めて重要な課題である。しかし、各種製品の生産工場、街のオフィース等において消費する電力は一定ではない。時間により、又は季節によって変動する。例えば、夏の日中には冷房によって電力需要が最大する。また、一般家庭においても、１日の間に電力需要は変動する。しかし、電力料金の設定基準は、最大ピーク電力をもとに設定されている。したがって、常時大きな電力を使用しない事業所であっても、電力需要のピーク値が大きい場合、電力料金は高くなる。
【０００３】
従来、使用しない電灯や冷房の使用を止めることによって電力の節約を行っているが、ピーク値が変わらない限り基本料金は下がらない。一方、今日のインターネットを使用する環境が極めて良好となり、ＩＰv６(インターネットプロトコル・バージョン６）が提供するプロトコルではＩＰアドレスを無限に設定でき、例えば装置毎にＩＰアドレスを設定して制御することも可能である。
【０００４】
尚、ＩＰv６におけるルータをサポートする方法とシステムの発明として、特許文献１がある。
【０００５】
【特許文献１】特表２００５−５１０１２２
【発明の開示】
【発明が解決しようとする課題】
【０００６】
本発明は上記課題を解決するため、エアコン等の電力消費装置への電源供給をネットワークを介して装置毎に制御し、ピーク値に達する前に電力調整を行うことによって、効率良く電力調整を行い、電力料金を安く抑えることを可能とする電力調整システム、及び電力調整方法を提供するものである。
【課題を解決するための手段】
【０００７】
上記課題は第１の発明によれば、管理サーバと複数の電力消費機器がネットワークを介して接続された電力調整システムにおいて、前記管理サーバは、予め設定された電力のピーク値を記憶する第１の記憶手段と、前記複数の電力消費機器毎の初期電力と定格電力を記憶し、該電力消費機器毎に重要度のレベルを記憶する第２の記憶手段と、前記電力消費機器毎に該機器の設定負荷に従って低下させることができる消費電力を記憶する第３の記憶手段と、前記装置に電力供給を行う際、現に使用している電力の総和に前記装置の初期電力を加えた時、前記ピーク値を超えるか否かを判断する判断手段と、該判断結果が前記ピーク値を超える時、先ず前記第２の記憶手段に記憶する前記機器毎に重要度のレベルを参照し、重要性のレベルが低い機器から順に電源供給を停止する電源供給停止手段と、前記第３の記憶手段を参照し、前記電源供給の停止を行う電力消費機器の設定負荷毎に低下させることができる消費電力の情報を参照し、使用電力の総和が前記ピーク値を超えない電力を計算する計算手段と、該計算結果に従って、前記使用電力の総和が前記ピーク値を超えない範囲で使用できる最大の負荷に前記装置の負荷を調整する電力調整手段とを有する電力調整システムを提供することによって達成できる。
【０００８】
また、上記課題は第２の発明によれば、管理サーバと複数の電力消費機器がネットワークを介して接続された電力調整システムにおいて、前記電力消費機器は、予め設定された電力のピーク値を記憶する第１の記憶手段と、前記複数の電力消費機器毎の初期電力と定格電力を記憶し、該電力消費機器毎に重要度のレベルを記憶する第２の記憶手段と、前記電力消費機器毎に該機器の設定負荷に従って低下させることができる消費電力を記憶する第３の記憶手段と、前記装置に電力供給を行う際、現に使用している電力の総和に前記装置の初期電力を加えた時、前記ピーク値を超えるか否かを判断する判断手段と、該判断結果が前記ピーク値を超える時、先ず前記第２の記憶手段に記憶する前記機器毎に重要度のレベルを参照し、重要性のレベルが低い機器から順に電源供給を停止する電源供給停止手段と、前記第３の記憶手段を参照し、前記電源供給の停止を行う電力消費機器の設定負荷毎に低下させることができる消費電力の情報を参照し、使用電力の総和が前記ピーク値を超えない電力を計算する計算手段と、該計算結果に従って、前記使用電力の総和が前記ピーク値を超えない範囲で使用できる最大の負荷に前記装置の負荷を調整する電力調整手段とを有する電力調整システムを提供することによって達成できる。
【０００９】
また、上記課題は第３の発明によれば、前記複数の電力消費機器は、履歴情報に基づいて作成した電力消費特性を記憶し、該電力消費特性に従って前記電力調整を行う電力調整システムを提供することによって達成できる。
【００１０】
また、上記課題は第４の発明によれば、前記履歴情報は、日時、設置環境に従って設定される電力調整システムを提供することによって達成できる。
【００１１】
また、上記課題は第５の発明によれば、前記電力消費機器は、起動、運転、停止、電源遮断処理がリモートコントロールによって実行される電力調整システムを提供することによって達成できる。
【００１２】
また、上記課題は第６の発明によれば、管理サーバと複数の電力消費機器がネットワークを介して接続された電力調整システムにおいて使用される電力調整方法であって、予め設定された電力のピーク値を第１の記憶手段に記憶する処理と、前記複数の電力消費機器毎の初期電力と定格電力を記憶し、該電力消費機器毎に重要度のレベルを第２の記憶手段に記憶する処理と、前記電力消費機器毎に該機器の設定負荷に従って低下させることができる消費電力を第３の記憶手段に記憶する処理と、前記電力消費機器に電力供給を行う際、現に使用している電力の総和に前記装置の初期電力を加えた時、前記ピーク値を超えるか否かを判断する処理と、該判断結果が前記ピーク値を超える時、先ず前記第２の記憶手段に記憶する前記電力消費機器毎に重要度のレベルを参照し、重要性のレベルが低い機器から順に電源供給を停止する処理と、前記第３の記憶手段を参照し、前記電源供給の停止を行う電力消費機器の設定負荷毎に低下させることができる消費電力の情報を参照し、使用電力の総和が前記ピーク値を超えない電力を計算する処理と、該計算結果に従って、前記使用電力の総和が前記ピーク値を超えない範囲で使用できる最大の負荷に前記装置の負荷を調整する処理とを行う電力調整方法を提供することによって達成できる。
【００１３】
さらに、上記課題は第７の発明によれば、管理サーバと複数の電力消費機器がネットワークを介して接続された電力調整システムにおいて使用されるプログラムであって、予め設定された電力のピーク値を第１の記憶手段に記憶する処理と、前記複数の電力消費機器毎の初期電力と定格電力を記憶し、該電力消費機器毎に重要度のレベルを第２の記憶手段に記憶する処理と、前記電力消費機器毎に該機器の設定負荷に従って低下させることができる消費電力を第３の記憶手段に記憶する処理と、前記電力消費機器に電力供給を行う際、現に使用している電力の総和に前記装置の初期電力を加えた時、前記ピーク値を超えるか否かを判断する処理と、該判断結果が前記ピーク値を超える時、先ず前記第２の記憶手段に記憶する前記電力消費機器毎に重要度のレベルを参照し、重要性のレベルが低い機器から順に電源供給を停止する処理と、前記第３の記憶手段を参照し、前記電源供給の停止を行う電力消費機器の設定負荷毎に低下させることができる消費電力の情報を参照し、使用電力の総和が前記ピーク値を超えない電力を計算する処理と、該計算結果に従って、前記使用電力の総和が前記ピーク値を超えない範囲で使用できる最大の負荷に前記装置の負荷を調整する処理とをコンピュータに実行させる電力調整プログラムを提供することによって達成できる。
【発明の効果】
【００１４】
本発明によれば、事業所単位、家庭単位、ビル単位、又は地域単位で消費する電力の調整を行うことができ、電力料金を低減すると共に、効率の良い電力調整システムを提供することができる。
【００１５】
また、インターネット等のネットワークを使用して事業所単位、家庭単位、ビル単位、又は地域単位での電力調整を行うシステムであり、ネットワークに電力会社や天気予報等の情報を発信するサーバを接続することにより、より効率良く電力調整を行うことができる。
【発明を実施するための最良の形態】
【００１６】
以下、本発明の実施の形態について図面を参照しながら説明する。
（第１の実施形態）
【００１７】
図１は、本実施形態の電力調整システムのシステム構成図である。尚、本実施形態においては、一事業所の電力調整システムについて説明する。
【００１８】
この事業所１には３台のエレベータ1〜3、及び５台のエアーコンディショナーＡ〜Ｅ（以下、単にエアコンで示す）が配設され、それぞれ電源供給部２から電力供給が行われる。尚、事業所１には、更に各階の部屋の電灯やＯＡ機器への電力供給も行われる。
【００１９】
また、事業所１に設置されたエレベータ1は荷物用エレベータであり、例えば初期電力は３０ＫＷであり、定格電力が１５ＫＷである。また、このエレベータ1の重要度のレベルは“３”に設定され、ＩＰアドレスはWWW.abcdef.jpである。尚、この重要度のレベルは、レベル“１”が最も重要であり、以下レベル“２”、レベル“３”、・・・と順次重要度が低下する。
【００２０】
また、エレベータ2及び3は従業員用のエレベータであり、初期電力は２０ＫＷであり、定格電力が１０ＫＷである。このエレベータ2及び3の重要度のレベルは“１”であり、ＩＰアドレスはWWW.ghijk.jp及びWWW.lmnop.jpである。
【００２１】
一方、エアコンＡの初期電力は２ＫＷであり、定格電力が１ＫＷであり、重要度のレベルは“２”であり、ＩＰアドレスはWWW.qrstu.jpである。以下、エアコンＢ、Ｃ、・・・についても同様に初期電力と定格電力、重要度のレベル、及びＩＰアドレスが設定されている。さらに、不図示の電灯やＯＡ機器に対する消費電力やＩＰアドレス等が設定されている。
【００２２】
また、上記エレベータ1〜3、エアコンＡ〜Ｅ、電灯、ＯＡ機器は、インターネット（ネットワーク回線）を介して管理サーバ５に接続されている。図２はこのネットワーク構成を示す図である。エレベータ1〜3、エアコンＡ〜Ｅ、電灯、ＯＡ機器には、前述のようにＩＰアドレスが設定されており、ネットワークを介して情報の授受が行なわれる。
【００２３】
また、上記エレベータ1〜3、エアコンＡ〜Ｅ等は、リモートパワーオン／オフ機能を有する装置であり、ＬＡＮボードを有する。このＬＡＮボードはネットワーク回線（通信回線）に接続され、電源オンコマンドを管理サーバから受信する。また、それぞれのＬＡＮボードには電源が供給され、通常通信インターフェースとして機能するが、装置本体への電源のオン／オフ制御も行う。したがって、上記各装置はネットワーク回線に接続されている状態において、ＬＡＮボードのみには常時電源が供給されている。
【００２４】
図３は、管理サーバ５の構成を示す図である。同図において、管理サーバ５はＣＰＵ６、ＲＯＭ７、ＲＡＭ８等で構成され、ＲＯＭ７に記憶されたプログラムに従って処理を行い、必要に応じて管理サーバ５に接続された記録装置９ａ、９ｂにアクセスする。
【００２５】
また、ディスプレイ１０には必要な情報が表示され、通信回線を介して情報の授受が行われる。尚、本例のシステム制御はＲＯＭ７に記憶されたプログラムに従って実行されるが、同図に示すようにコンピュータに配設されたメディアドライバ１１にＣＤ−ＲＯＭ、フレキシブルディスク、ＭＯ等の記録媒体１２を装着し、この記録媒体１２から上記プログラムを読み出して使用する構成としてもよい。
【００２６】
図４は、上記外部記録装置９ａに構築されたデータベースの構成を説明する図である。同図において、データベースには装置名と、該装置を起動する際の初期電力、及び定格電力が登録され、更に当該装置の重要度を示すレベル情報が登録されている。尚、装置名には更にＩＰアドレスも登録されている。
【００２７】
例えば、事業所１に設置されたエレベータ1は荷物用エレベータであり、前述のように、初期電力は３０ＫＷであり、定格電力が１５ＫＷである。また、このエレベータ1は荷物用であり、重要度のレベルは“３”に設定され、ＩＰアドレスはWWW.abcdef.jpである。したがって、記録装置９ａに構築されたデータベースには対応する情報が登録されている。
【００２８】
また、エレベータ2は従業員用であり、前述のように初期電力は２０ＫＷであり、定格電力が１０ＫＷであり、重要度のレベルは“１”に設定され、ＩＰアドレスはWWW.ghijk.jpであり、対応する情報がデータベースに登録されている。以下、エレベータ3、エアコンＡ〜Ｅ、電灯等においても、同図のデータベースに登録された通りである。
【００２９】
以上の構成において、以下に本例の処理動作を説明する。
【００３０】
図５及び図６は、本例の処理動作を説明するフローチャートである。先ず図５において、現在の事業所１で使用している電力の総量を計算する。この処理は、ネットワークを介してエレベータ1〜3、エアコンＡ〜Ｅ、電灯等から管理サーバ５に送信された情報に基づいて行なわれ、エレベータ1〜3、エアコンＡ〜Ｅ、及び電灯等が消費している電力の総和である。管理サーバ５のＣＰＵ６は、この計算を行う（ステップ（以下、Ｓで示す）１）。
【００３１】
次に、新たな装置の電源がオンされたか判断する（Ｓ２）。この判断は、各装置から供給される情報に基づいて判断され、管理サーバ５はどの装置の電源がオンされたか、ネットワークを介して送信される情報に基づいて判断する。
【００３２】
ここで、新たな装置の電源オンを検知すると（Ｓ２がＹＥＳ）、次に何れの装置の電源がオンされたか確認し（Ｓ３）、電源がオンされた装置の初期電力を記憶装置９ａから読み出す（Ｓ４）。例えば、前述の図４に示すデータベースのエアコンＢの電源がオンされた場合、記憶装置９ａからエアコンＢの初期電力１．５ＫＷのデータを読み出す。
【００３３】
次に、管理サーバ５（ＣＰＵ６）は、現在の事業所１で使用している電力の総量に上記初期電力を加算する（Ｓ５）。例えば、現在使用している電力の総量が４８ＫＷであれば、上記初期電力１．５ＫＷを加算し、加算結果（４９．５ＫＷ）の消費電力の情報を得る。
【００３４】
次に、上記加算値がピーク値を超えたか判断する（Ｓ６）。ここで、ピーク値を、例えば５０ＫＷとすると、この場合加算値がピーク値を超えていないので（Ｓ６がＮＯ）、当該装置（例えば、エアコンＢ）の電源投入を指示する（Ｓ７）。この場合、管理サーバ５はネットワークを介してエアコンＢに対して指示を送り、エアコンＢの電源がリモート処  
【００３５】
理によって投入される。
一方、加算値がピーク値を超えた場合（Ｓ６がＹＥＳ）、何れかの装置の駆動停止処理を行う。この場合、先ずデータベースを検索し、最も重要度の低い装置を選択する（図６に示すＳ８）。例えば、前述の図４に示す例では、重要度のレベル“３”のエレベータＡが選択される。
【００３６】
次に、選択した装置の定格電力を読み出し、現在使用している電力の総量から減算する（Ｓ９）。例えば、現在使用している電力の総量が６０ＫＷである場合、エレベータＡの定格電力１５ＫＷを減算する。そして、減算結果がピーク値以下になったか判断し（Ｓ１０）、減算結果がピーク値以下であれば（Ｓ１０がＹＥＳ）、当該装置（エレベータＡ）の駆動を停止する（Ｓ１１）。但し、この場合、装置の駆動停止処理は、例えばエレベータＡが現在移動中であれば、当該作業が終了した後、エレベータＡの駆動を停止する。その後、新たに駆動しようとする装置（例えば、前述のエアコンＢ）の電源を投入する（Ｓ１２）。
【００３７】
一方、上記減算結果が未だピーク値以上であれば（Ｓ１０がＮＯ）、事業所１内の全ての装置に対して処理を行ったか判断し、前述の処理（Ｓ８）に戻って次に重要度のレベルが低い装置に対する処理を行う。図４に示す例では、次に検索される装置は重要度のレベル“２”のエアコンＡであり、上記と同様に処理（Ｓ８〜Ｓ１２）を実行する。そして、減算結果がピーク値以下になれば（Ｓ１０がＹＥＳ）、当該装置（エアコンＡ）の駆動を停止し（Ｓ１１）、新たに駆動しようとする装置（エアコンＢ）の電源を投入する（Ｓ１２）。
【００３８】
尚、上記処理によっても、減算結果がピーク値以下にならない場合（Ｓ１０がＹＥＳ）、全ての装置に対して同様の処理を繰り返し、エラー表示を行う。
以上のように、本実施形態の処理によれば、新たに事業所１内の装置を使用する際、管理サーバ５（ＣＰＵ６）が必ずピーク値の判断を行うので、ピーク値を超えて電力供給が行われることがなく、電力効率良い使用を行うことができる。
【００３９】
尚、上記実施形態の説明では、事業所１について説明したが、事業所に限らず例えば家庭内の電力調整システムに対しても同様に実施することができ、また各種生産工場等の施設に適用することもできる。さらに、ビル全体の電力調整や、ある特定地域における電力調整に適用することもできる。
（第２の実施形態）
【００４０】
次に、本発明の第２の実施形態について説明する。
本例は、記憶装置６ｂに記憶された電力消費特性に基づいて電力調整を行なう発明である。以下、具体的に説明する。
【００４１】
図７は本例で使用するデータベースの構成を示す図である。本例においては、記録装置９ａには図７（ａ）に示すデータベースが構築されており、前述の図４と基本的に同じ構成であるが、リンクコードが記憶されている点が異なる。このリンクコードは、同図（ｂ）に構築された電力消費特性のデータベースにリンクするアドレス情報である。
【００４２】
すなわち、リンクコードは記憶装置６ｂに記憶された各装置の電力消費特性のアドレスを示すコードであり、対応する装置の電力消費特性の記憶エリアを指示する。例えば、リンクコード００１は、エレベータ1の電力消費特性を記憶したエリアを指示し、リンクコード００２はエレベータ2の電力消費特性を記憶したエリアを指示する。
【００４３】
以下、リンクコード００３はエレベータ3の電力消費特性を記憶したエリアを指示し、リンクコード００４はエアコンＡの電力消費特性を記憶したエリアを指示し、同図に示す通りである。
例えば、エレベータ1の電力消費特性は、図８に示す通りであり、エレベータ1が荷物用であることから、例えば朝早い時間帯（午前６時〜７時）に使用され、以後使用する頻度が低下し、電力消費特性も対応する曲線となる。尚、この電力消費特性はエレベータ1の運行履歴を一定期間調査し、作成したものである。具体的には、エレベータ1に設けられたコントローラ1ａの制御によって、一定期間の運行状態を計測し、曜日や時間に従ってエレベータの電力消費特性を取得したものである。また、この電力消費特性はエレベータ1内の不図示の記憶部に登録されると共に、上記管理サーバ５のデータベースにも登録されているものである。
【００４４】
また、エレベータ2の電力消費特性は、図９に示す通りであり、エレベータ2が従業者用であることから、例えば朝と夕の時間帯（午前８時〜９時、午後５時〜７時）に多く使用され、他の時間帯には平均的な使用が行なわれ、電力消費特性も同図に示す曲線となる。尚、この電力消費特性もエレベータ2の運行履歴を一定期間調査し、作成したものである。また、エレベータ3の電力消費特性も、エレベータ3が社員用であることから、上記エレベータ2の特性に類似する曲線となっている。
【００４５】
さらに、エアコンＡの電力消費特性は、図１０に示す通りであり、オフィースが使用される時間帯（午前８時〜午後７時）、ほぼ一定の電力消費曲線となる。尚、図示しないが、他のエアコンＢ〜Ｅについても同様の特性となる。
【００４６】
この電力消費特性はエアコンＡ等の駆動履歴を一定期間調査し、作成したものであり、具体的には、エアコンＡ等に設けられたコントローラＡａの制御によって、一定期間の運行状態を計測し、時間のみならず、温度や湿度、季節等の情報を加味して電力消費特性を取得したものである。
【００４７】
以上のように構成することにより、各装置の電力消費特性を加味した電力調整が可能となり、管理サーバ５（ＣＰＵ６）の制御に従ったより効率がよく、精密な電力調整を行うことが可能となる。例えば、１日（２４時間）に渡り、各装置の運用予測が可能であり、ピーク値を超えるような電力消費を未然に回避することができる。
【００４８】
尚、上記実施形態の説明においても、事業所１について説明したが、事業所に限らず例えば家庭内の電力調整システムに対しても同様に実施することができ、また各種生産工場等の施設に適用することもできる。さらに、ビル全体の電力調整や、ある特定地域における電力調整に適用することもできる。
（実施形態３）
【００４９】
次に、本発明の第３の実施形態について説明する。
本例は、前述の実施形態１、及び２と異なり、家庭内の電力調整システムに適用する場合の例である。
【００５０】
図１１は、この場合のネットワークの例である。管理サーバ１５にはネットワークを介して、家庭内にある冷蔵庫、電子レンジ、テレビ、掃除機等の装置が接続されている。管理サーバ１５には、図１２に示す構成のデータベースが構築されている。すなわち、同図に示すように、上記冷蔵庫、電子レンジ、テレビ、掃除機等の初期電力、定格電力、及び重要度のレベルが登録され、更に装置のＩＤ情報が記憶されている。尚、この場合、管理サーバ１５は、ＬＡＮ等のネットワークで接続される構成となる。
【００５１】
例えば、冷蔵庫の場合、初期電力は０．５ＫＷであり、定格電力は０．２ＫＷであり、重要度のレベルは“３”である。また、電子レンジの場合、初期電力は１ＫＷであり、定格電力は０．８ＫＷであり、重要度のレベルは“１”である。以下、テレビや掃除機等における初期電力等のデータも同図に示す通りである。
【００５２】
また、本例においては、各装置にＩＤ情報が設定されており、図１２に示すデータベースにも設定されたＩＤ情報が記憶されている。管理サーバ１５はこのＩＤ情報に従って各装置との情報の授受を行う。
【００５３】
管理サーバ１５は、前述の実施形態と同様、家庭内のピーク電力を超えないよう電力調整を行う。また、上記実施形態の説明では新たな装置の電源投入の際、重要度のレベルが低い装置の電源を遮断する構成としたが、電源を遮断することなく装置の特性に合った駆動制御を行う構成としてもよい。例えば、駆動を停止する装置がエアコンである場合、コンプレッサの駆動のみを停止し、ピーク値が下がったタイミングで駆動を再開するような制御を行うことができる。
【００５４】
また、エアコンの温度自体を低い温度に変更し、コンプレッサの駆動間隔を変更する制御を行う構成としてもよい。例えば、図１３はこの場合の例であり、前述の記憶装置９ａには更に装置毎の設定温度と減少電力のテーブルが用意されている。尚、このような構成のテーブルは、装置毎に用意されている。
【００５５】
図１４はこの場合の処理を説明するフローチャートである。管理サーバ１５による減算処理の結果、ピーク値を終える場合、先ず冷蔵庫の駆動を停止する必要があるか判断する（ステップ（以下、ＳＴで示す）１）。この判断は、上記図１２に示すテーブルを参照し、例えばあと０．３ＫＷ程度の電力削減で対応できる場合には（ＳＴ１がＹＥＳ）、次に温度設定を変更する（ＳＴ２）。例えば、上記０．３ＫＷの場合、設定温度を３°Ｃだけ上昇させる。尚、温度制御だけでは電力調整ができない場合（ＳＴ１がＮＯ）、前述のように装置の駆動を停止する。
【００５６】
尚、上記制御は冷蔵庫の例であるが、家庭内で使用されるエアコンに対しても、同様の制御が可能である。また、不図示の電灯等に対しても明るさを調整する等の制御を行い、電力調整を行うことができる。
また、上記説明では電力のピーク値は短時間と考えられるが、例えば３０分間継続する場合にも適用するものである。また、３０分に限らず、１０分、２０分、又は４０分の場合にも適用可能である。
（第４の実施形態）
【００５７】
次に、本発明の第４の実施形態について説明する。
図１５は、本例の電力調整システムのシステム構成を示す。同図に示すように、本例は管理サーバと各装置がインターネットによって接続されており、管理サーバ２０にはエアコン２１やテレビ２２等と共に、電力会社２３や気象情報提供会社２４、テルビ局２５等の各種コンテンツに接続されている。
【００５８】
また、管理サーバ２０の記録装置２０ａには前述と同様、初期電力や定格電力、重要度レベルの他に、ＩＰアドレスが記憶されている。また、エアコン等の装置は、その履歴情報として、駆動年月日、駆動時間、消費電力の情報を取得しており、この情報は各装置の記録部に記憶されると共に、管理サーバ２０に送られ、記録装置２０ａに蓄積されている。また、管理サーバ２０は上記情報を記録装置２０ａに記録する際、気象情報提供会社２４から当該装置が設置された地域の温度と湿度、及び天気の情報を取得し、上記駆動年月日、駆動時間の情報にリンクさせて記録している。
【００５９】
尚、各装置の電力使用量についても、ビル単位、地域単位で電力会社２３かた取得することもできる。
以上のようにして、管理サーバ２０に必要なメタ情報が蓄積された後、前述の電力調整が行われ、地域毎、ビル毎、又は前述の事業所毎、家庭毎にピーク値を超えない電力調整を行うことができる。特に、本例の場合、電力会社２３からの指令により、例えばエアコンの温度を一斉に調整することが可能である。
【００６０】
すなわち、管理サーバ２０は、管理サーバ２０に接続された各装置の起動や運転、停止、電源遮断処理をネットワークを介して制御することができ、例えば管理サーバ２０に接続されたある地域に存在するエアコンの温度を、１℃下げることができる。したがって、電力会社２３からの要請によって、電力消費量を制御することができ、運用情報に基づく電力会社２３から要請により、的確な電力調整が可能となる。例えば、ある地域の電力消費がピーク値を超えると予測される場合、電力会社２３からピーク値を超えない適切な温度降下情報が得られ、効率のよい電力調整が可能となる。
【００６１】
一方、以下のような制御も可能となる。すなわち、ある家庭における電力消費機器の状態を判断し、不要な装置の電源を遮断し、電力の無駄を無くすことができる。例えば、気象情報提供会社２４から得られたある家庭が位置する地域の温度が３９℃であるが、エアコンが使用されていないが、テレビや電灯の電源が入っている場合、現在留守であると判断して、テレビと電灯の電源を遮断する。このように制御することにより、電力の無駄を無くすことができる。
【００６２】
尚、上記例では地域の気温とエアコンの使用の有無によって判断したが、例えば予め設定された長時間テレビのチャンネルが変更されていない場合、外出したか、又はテレビの消し忘れ等によってテレビの電源が入ったままであると判断してテレビの電源を遮断するようにしてもよい。
【００６３】
また、テレビのチャンネルの変更情報も管理サーバ２０において取得でき、この情報を記録装置９ａに蓄積することができる。したがって、例えばテルビ局２５は記録装置９ａに蓄積されたチャンネルの変更履歴の情報を管理サーバ２０に確認することによって、視聴率を知る有効な手段となる。
【００６４】
また、監視カメラ等の監視機器やモニタを電力消費機器として管理サーバ２０にネットワークを介して接続することにより、室内をモニタし、防犯等の利用に役立てることができる。
【００６５】
さらに、携帯電話機やＰＤＡ（personal digitalassistant）から管理サーバ２０にアクセス可能に設定することにより、利用者は管理サーバ２０を介して家庭内の各装置の状態を知ることができ、必要に応じて戸外からエアコンた冷蔵庫等の駆動制御や温度制御を行うことができる。
【００６６】
尚、上記実施形態の説明では管理サーバ２０を介して各装置の駆動制御や電力調整を行ったが、ある装置、例えばエアコンをサーバとして運用する構成としてもよい。特に家庭内や小規模施設、小規模事業所等では有効である。
また、各装置としては、エアコンやエレベータ等を対象としたが、例えばゲーム機等を本システムの対象装置としてもよい。
【００６７】
以上説明したように、本発明によれば事業所単位、企業単位、又は家庭単位で消費する電力の調整を行うことができ、電力料金を低減すると共に、効率の良い電力調整システムを提供することができる。
【図面の簡単な説明】
【００６８】
【図１】本実施形態の電力調整システムのシステム構成図である。
【図２】本実施形態の電力調整システムのネットワーク構成を示す図である。
【図３】管理サーバの構成を示す図である。
【図４】記録装置に記憶されたデータベースの構成を示す図である。
【図５】実施形態１の処理動作を説明するフローチャートである。
【図６】実施形態１の処理動作を説明するフローチャートである。
【図７】（ａ）、（ｂ）は実施形態２において使用するデータベースの構成を示す図である。
【図８】電力消費機器の電力消費特性を示す図である。
【図９】電力消費機器の電力消費特性を示す図である。
【図１０】電力消費機器の電力消費特性を示す図である。
【図１１】実施形態３の電力調整システムのネットワーク構成を示す図である。
【図１２】実施形態３において使用するデータベースの構成を示す図である。
【図１３】実施形態３において使用するデータベースの他の構成を示す図である。
【図１４】実施形態３の処理動作を説明するフローチャートである。
【図１５】実施形態４の電力調整システムのネットワーク構成を示す図である。
【符号の説明】
【００６９】
１・・・事業所
２・・・電源供給部
５・・・管理サーバ
６・・・ＣＰＵ
７・・・ＲＯＭ
８・・・ＲＡＭ
９・・・記録装置
１０・・ディスプレイ
１１・・メディアドライバ
１２・・記録媒体
１３ａ、１３ｂ・・外部記録装置
１５・・管理サーバ
２０・・管理サーバ
２０ａ・・記憶装置
２１・・エアコン
２２・・テレビ
２３・・電力会社
２４・・気象情報提供会社
２５・・テルビ局
Ａ〜Ｅ・・・エアコン
1〜3・・・エレベータ
【図１】
2009165254.tif 000003
【図２】
2009165254.tif 000004
【図３】
2009165254.tif 000005
【図４】
2009165254.tif 000006
【図５】
2009165254.tif 000007
【図６】
2009165254.tif 000008
【図７】
2009165254.tif 000009
【図８】
2009165254.tif 000010
【図９】
2009165254.tif 000011
【図１０】
2009165254.tif 000012
【図１１】
2009165254.tif 000013
【図１２】
2009165254.tif 000014
【図１３】
2009165254.tif 000015
【図１４】
2009165254.tif 000016
【図１５】
2009165254.tif 000017